(57)【要約】【課題】収納ボックスに収納される物品を、前記収納ボックスに設けられる係止部に両端を係脱可能に係合せしめる固定手段で前記収納ボックスに固定的に支持し得るようにした車両用物入れ装置において、収納ボックスに収納すべき物品の形状や個数が変化しても、その変化に柔軟に対応して物品を収納ボックス内に収納、固定可能とする。【解決手段】少なくとも３つの係止部３１，３２，３３が、固定手段３５の両端を係合せしめる係止部３１〜３３を選択することを可能として、収納ボックス２７の相互に離隔した位置に設けられる。【選択図】        図６
2005161948.tif 000002
【特許請求の範囲】
【請求項１】
収納ボックス（２７）に収納される物品（４０，４１）を、前記収納ボックス（２７）に設けられる係止部（３１，３２，３３）に両端を係脱可能に係合せしめる固定手段（３５）で前記収納ボックス（２７）に固定的に支持し得るようにした車両用物入れ装置において、少なくとも３つの前記係止部（３１〜３３）が、前記固定手段（３５）の両端を係合せしめる係止部（３１〜３３）を選択することを可能として、前記収納ボックス（２７）の相互に離隔した位置に設けられることを特徴とする車両用物入れ装置。
【請求項２】
少なくとも３つの前記係止部（３１〜３３）のうち特定の係止部（３１）と、残余の係止部（３２，３３）との間の距離がほぼ同一に設定されることを特徴とする請求項１記載の車両用物入れ装置。
【請求項３】
前記固定手段（３５）が、弾性を有しつつ伸縮可能に構成されることを特徴とする請求項１記載の車両用物入れ装置。
【請求項４】
前記収納ボックス（２７）には、第１の収納凹部（２６ａ）と、第１の収納凹部（２６ａ）よりも浅い第２の収納凹部（２６ｂ）とが相互に連なって並ぶように形成され、少なくとも３つの前記係止部（３１〜３３）のうちの１つの係止部（３３）が、ほぼ第１および第２の収納凹部（２６ａ，２６ｂ）間に位置するようにして収納ボックス（２７）に設けられることを特徴とする請求項１〜３のいずれかに記載の車両用物入れ装置。
【請求項５】
上方に開放した前記収納ボックス（２７）に、第１および第２の収納凹部（２６ａ，２６ｂ）が並ぶ方向のほぼ両端に位置する第１および第２の係止部（３１，３２）が上下方向の位置を相互に異ならせて設けられるとともに、第１および第２の収納凹部（２６ａ，２６ｂ）が並ぶ方向に沿って前記第１および第２の係止部（３１，３２）間に位置する第３の係止部（３３）が第１および第２係止部（３１，３２）よりも低い位置でほぼ第１および第２の収納凹部（２６ａ，２６ｂ）間に位置するようにして設けられることを特徴とする請求項４記載の車両用物入れ装置。
【発明の詳細な説明】
【技術分野】
【０００１】
本発明は、収納ボックスに収納される物品を、前記収納ボックスに設けられる係止部に両端を係脱可能に係合せしめる固定手段で前記収納ボックスに固定的に支持し得るようにした車両用物入れ装置に関する。
【背景技術】
【０００２】
自動二輪車のリヤフェンダに設けられる収納ボックスに収納される物品を、該物品にかけられる固定手段の両端を収納ボックスに設けられた一対のフック部に係合することで、前記収納ボックスに固定的に支持するようにしたものが、たとえば特許文献１で既に知られている。
【特許文献１】特開平４−２７８８８７号公報
【発明の開示】
【発明が解決しようとする課題】
【０００３】
ところが、上記従来のもののようなもの入れ装置では、収納ボックスに収納、固定する物品の種類、個数が限定されてしまい、収納すべき物品の形状や、収納すべき物品の個数の変化に対応することができない。
【０００４】
本発明は、かかる事情に鑑みてなされたものであり、収納ボックスに収納すべき物品の形状や個数が変化しても、その変化に柔軟に対応して物品を収納ボックス内に収納、固定し得るようにした車両用物入れ装置を提供することを目的とする。
【課題を解決するための手段】
【０００５】
上記目的を達成するために、請求項１記載の発明は、収納ボックスに収納される物品を、前記収納ボックスに設けられる係止部に両端を係脱可能に係合せしめる固定手段で前記収納ボックスに固定的に支持し得るようにした車両用物入れ装置において、少なくとも３つの前記係止部が、前記固定手段の両端を係合せしめる係止部を選択することを可能として、前記収納ボックスの相互に離隔した位置に設けられることを特徴とする。
【０００６】
また請求項２記載の発明は、請求項１記載の発明の構成に加えて、少なくとも３つの前記係止部のうち特定の係止部と、残余の係止部との間の距離がほぼ同一に設定されることを特徴とする。
【０００７】
請求項３記載の発明は、請求項１記載の発明の構成に加えて、前記固定手段が、弾性を有しつつ伸縮可能に構成されることを特徴とする。
【０００８】
請求項４記載の発明は、上記請求項１〜３のいずれかに記載の発明の構成に加えて、前記収納ボックスには、第１の収納凹部と、第１の収納凹部よりも浅い第２の収納凹部とが相互に連なって並ぶように形成され、少なくとも３つの前記係止部のうちの１つの係止部が、ほぼ第１および第２の収納凹部間に位置するようにして収納ボックスに設けられることを特徴とする。
【０００９】
さらに請求項５記載の発明は、請求項４記載の発明の構成に加えて、上方に開放した前記収納ボックスに、第１および第２の収納凹部が並ぶ方向のほぼ両端に位置する第１および第２係止部が上下方向の位置を相互に異ならせて設けられるとともに、第１および第２の収納凹部が並ぶ方向に沿って前記第１および第２係止部間に位置する第３の係止部が第１および第２係止部よりも低い位置でほぼ第１および第２の収納凹部間に位置するようにして設けられることを特徴とする。
【発明の効果】
【００１０】
請求項１記載の発明によれば、収納すべき物品の形状や個数の変化に対応して、少なくとも３つの係止部のうち選択した２つの係止部に固定手段の両端を係合するようにして、形状や個数の変化に柔軟に対応して物品を収納ボックに収納、固定することが可能となる。
【００１１】
また請求項２記載の発明によれば、収納すべき物品の個数や収納ボックス内での固定位置が変化しても、同一の固定手段を用いて物品を収納ボックスに収納、固定することができる。
【００１２】
請求項３記載の発明によれば、単一種類の固定手段を、その長さを変化させつつ物品に弾発的にかけるようにすることで、収納ボックスに収納、固定可能な物品の種類のより大きな変化に対応することができる。
【００１３】
請求項４記載の発明によれば、深さの異なる第１および第２収納凹部を収納ボックス内に形成し、第１および第２の収納凹部間にほぼ対応する位置に１つの係止部を配置しているので、大きさの異なる複数種類の物品を収納ボックス内に効率よく収納、固定することができる。
【００１４】
さらに請求項５記載の発明によれば、第１および第２の収納凹部に収納された物品を、効果的に固定し得るように各係止部を配置することができる。
【発明を実施するための最良の形態】
【００１５】
以下、本発明の実施の形態を、添付の図面に示した本発明の一実施例に基づいて説明する。
【００１６】
図１〜図１１は本発明の一実施例を示すものであり、図１は四輪バギー車の側面図、図２は図１の要部拡大図、図３はリヤフェンダの斜視図、図４はリヤフェンダの一部平面図、図５は第１および第２の物品を収納、固定した状態での収納ボックスを図２の５−５線矢視方向から見た図、図６は図５の６−６線断面図、図７は図６の７矢視図、図８は第１の物品を収納した状態での収納ボックスを図５と同一方向から見た図、図９は図８の９−９線断面図、図１０は第２の物品を収納した状態での収納ボックスを図５と同一方向から見た図、図１１は図１０の１１−１１線断面図である。
【００１７】
先ず図１において、四輪バギー車が備える車体フレーム１５の前、後部には、左右一対の前輪ＷＦ…および左右一対の後輪ＷＲ…が懸架され、車体フレーム１５の上部には、前方側から順に、操向ハンドル１６、燃料タンク１７および跨座式のシート１８が配設される。また燃料タンク１７およびシート１８の下方で車体フレーム１５には、左右の後輪ＷＲ…を駆動するエンジンＥを備えるパワーユニットＰが、前輪ＷＦ…および後輪ＷＲ…間に位置するようにして搭載される。
【００１８】
図２を併せて参照して、前記車体フレーム１５は、後ろ上がりに延びる左右一対のシートレール１９…と、それらのシートレール１９…の下方で後ろ上がりに延びる左右一対のバックステー２０…とを後部に備えており、両シートレール１９…よりも急角度で後ろ上がりに傾斜した両バックステー２０…の後端が両シートレール１９…の後端に結合される。
【００１９】
図３および図４を併せて参照して、左右の後輪ＷＲ…は、前記シートレール１９…およびバックステー２０…で支持されるリヤフエンダ２１で覆われており、このリヤフェンダ２１は、前記両後輪ＷＲ…を上方から覆うようにして円弧状に形成される左右一対のフェンダ部２１ａ，２１ａと、それらのフェンダ部２１ａ，２１ａを連結する中央連結部２１ｂとを一体に備えて、たとえば合成樹脂により形成される。
【００２０】
リヤフェンダ２１の中央連結部２１ｂは、シート１８により開閉可能に覆われるものであり、中央連結部２１ｂの前後方向中間部から前方の部分には、パワーユニットＰのエンジンＥに吸気管２２および気化器２３を介して接続されるエアクリーナ２４を配置するための開口部２５が形成される。また開口部２５よりも後方で前記中央連結部２１ｂには、下方に凹んだ収納凹部２６を形成する収納ボックス２７が一体に設けられる。
【００２１】
図５〜図７を併せて参照して、前記収納ボックス２７は、その縦断面形状が、前壁２８と、前壁２８に後方から対向する後壁２９と、前壁２８および後壁２９の下端間を結ぶ底壁３０とを有するように形成される。前壁２８は、前上がりに傾斜した平面状に形成され、その前壁２８の下端に、たとえば一対の水抜き孔４２，４２を有する底壁３０が略直角に連設される。また後壁２９は、前壁２８との間の距離が上方に向かうにつれてたとえば３段階で段階的に大きくなるように形成されるものであり、上方に臨む平坦な下段部２９ａと、下段部２９ａよりも上方に配置されて上方に臨む上段部２９ｂとが後壁２９に設けられ、上段部２９ｂは、下方に膨らんだ円弧状に形成される。
【００２２】
而して収納ボックス２７内の収納凹部２６は、相互に連なって前後に並ぶ第１および第２の収納凹部２６ａ，２６ｂから成るものであり、第１の収納凹部２６ａは、底壁３０を底として深く形成され、第１の収納凹部２６ａに後方から連なる第２の収納凹部２６ｂは、上段部２９ｂを底として第１の収納凹部２６ａよりも浅く形成される。
【００２３】
収納ボックス２７には、少なくとも３つの係止部、この実施例では第１から第３までの３つの係止部３１，３２，３３が、収納ボックス２７の幅方向中間部で相互に離隔した位置に配置されるようにして設けられる。
【００２４】
第１および第２係止部３１，３２は、第１および第２の収納凹部２６ａ，２６ｂが並ぶ方向すなわち前後方向のほぼ両端に位置するとともに上下方向の位置を相互に異ならせて収納ボックス２７に設けられるものであり、第１および第２の収納凹部２６ａ，２６ｂが並ぶ方向すなわち前後方向に沿って前記第１および第２係止部３１，３２間に位置する第３の係止部３３は第１および第２係止部３１，３２よりも低い位置でほぼ第１および第２の収納凹部２６ａ，２６ｂ間に位置するようにして収納ボックス２７に設けられる。
【００２５】
第１係止部３１は、前壁２８の上端に設けられるものであり、開口部２５側に突出するようにして上方に凸の円弧状に形成される。また第２係止部３２は、第１係止部３１よりも低い位置で後壁２９における上段部２９ｂの後部上端に連なって収納ボックス２７から後方に突設され、最も低い第３係止部３３は、下および上段部２９ａ，２９ｂ間で収納凹部２６内に突出するようにして後壁２９から突設される。
【００２６】
また第１〜第３係止部３１〜３３のうち特定の係止部である第１係止部３１と、残余の係止部である第２および第３係止部３２，３３との間の距離はほぼ等しく設定されている。
【００２７】
ところで、各係止部３１〜３３には、固定手段である固定用バンド３４の両端を係脱可能に係合し得るものであり、第２係止部３２の上方で後壁２９には、固定用バンド３４のいずれか一端側を第２係止部３２に係脱操作することを可能とするための操作孔３６が設けられ、第３係止部３３に対応する部分で後壁２９には、固定用バンド３４のいずれか一端側を第３係止部３３に係脱操作することを可能とするための操作孔３７が設けられる。      
【００２８】
而して固定用バンド３４は、ゴム製のバンド３８の両端に、第１〜第３係止部３１〜３３のいずれにも係合可能なリング状の係合部材３９，３９が取付けられて成るものであり、弾性を有しつつ伸縮可能に構成される。
【００２９】
ところで、収納ボックス２７内には、たとえばオーナーズマニュアル等の直方体状である第１の物品４０や、たとえば工具キットを収納した袋を丸めることで円柱状となった第２の物品４１を好適に収納することが可能であり、図５〜図７で示すように、前壁２８に沿わせて収納ボックス２７内の前部に収納される第１の物品４０と、後壁２９の上段部２９ｂに一部を載せるようにした第１の物品４０の後方で収納ボックス２７に収納される第２の物品４１とに、第１および第２係止部３１，３２に両端を係合させるようにした固定用バンド３５を共通にかけることにより、第１および第２の物品４０，４１を収納ボックス２７内に収納、固定することができる。
【００３０】
また図８および図９で示すように、第１の物品４０だけを収納ボックス２７内に収納、固定することも可能であり、この場合には、前壁２８に沿わせて収納ボックス２７内の前部に収納される第１の物品４０に、両端を第１および第３係止部３１，３３に係合させるようにした固定用バンド３５をかけるようにすればよい。
【００３１】
さらに図１０および図１１で示すように、第２の物品４１だけを収納ボックス２７内に収納、固定することも可能であり、この場合には、後壁２９の上段部２９ｂに一部を載せるようにして収納ボックス２７内の後部に収納される第２の物品４１に、両端を第２および第３係止部３２，３３に係合させるようにした固定用バンド３５をかけるようにすればよい。
【００３２】
次にこの実施例の作用について説明すると、開閉可能なシート１８で覆われるようにしてリヤフェンダ２１に収納ボックス２７が設けられ、該収納ボックス２７に収納される第１および第２の物品４０，４１等の物品を、固定用バンド３５で収納ボックス２７に固定的に支持するために、収納ボックス２７には、少なくとも３つの係止部、この実施例では第１〜第３係止部３１，３２，３３が、それらの係止部３１〜３３のうち選択された２つに固定用バンド３５の両端を係脱可能に係合せしめるべく、収納ボックス２７の相互に離隔した位置に設けられている。
【００３３】
したがって収納すべき物品の形状や個数の変化に応じて、第１〜第３係止部３１〜３３のうち選択した２つの係止部に固定用バンド３５の両端を係合することにより、形状や個数の変化に柔軟に対応して物品を収納ボック２７に収納、固定することが可能となる。すなわち図５〜図７で示すように第１および第２の物品４０，４１を収納ボックス２７に収納、固定するようにして固定用バンド３５の両端を第１および第２係止部３１，３２に係合する状態と、図８および図９で示すように第１の物品４０を収納ボックス２７に収納、固定するようにして固定用バンド３５の両端を第１および第３係止部３１，３３に係合する状態と、図１０および図１１で示すように第２の物品４１を収納ボックス２７に収納、固定するようにして固定用バンド３５の両端を第２および第３係止部３２，３３に係合する状態とを切換えることができる。
【００３４】
また第１〜第３係止部３１〜３３のうち特定の係止部である第１係止部３１と、残余の係止部である第２および第３係止部３２，３３との間の距離がほぼ同一に設定されるので、収納すべき物品の個数や収納ボックス２７内での固定位置が変化しても、同一の固定用バンド３５を用いて物品を収納ボックス２７に収納、固定することができる。すなわち図５〜図７で示すように第１および第２の物品４０，４１を収納ボックス２７に収納、固定するようにして固定用バンド３５の両端を第１および第２係止部３１，３２に係合する場合と、図８および図９で示すように、第１の物品４０を収納ボックス２７に収納、固定するようにして固定用バンド３５の両端を第１および第３係止部３１，３３に係合する場合とで、同一の固定用バンド３５を用いることができる。
【００３５】
また固定用バンド３５が、弾性を有しつつ伸縮可能に構成されているので、単一種類の固定用バンド３５を、その長さを変化させつつ物品に弾発的にかけるようにすることで、収納ボックス２７に収納、固定可能な物品の種類のより大きな変化に対応することができる。
【００３６】
しかも収納ボックス２７には、第１の収納凹部２６ａと、第１の収納凹部２６ａよりも浅い第２の収納凹部２６ｂとが相互に連なって並ぶように形成され、第１〜第３係止部３１〜３３のうちの第３係止部３３が、ほぼ第１および第２の収納凹部２６ａ，２６ｂ間に位置するようにして収納ボックス２７に設けられているので、大きさの異なる複数種類の物品４０，４１を収納ボックス２７内に効率よく収納、固定することができる。
【００３７】
さらに上方に開放した前記収納ボックス２７に、第１および第２の収納凹部２６ａ，２６ｂが並ぶ方向（この実施例では前後方向）のほぼ両端に位置する第１および第２係止部３１，３３が上下方向の位置を相互に異ならせて設けられるとともに、第１および第２の収納凹部２６ａ，２６ｂが並ぶ方向に沿って前記第１および第２係止部３１，３２間に位置する第３の係止部３３が第１および第２係止部３１，３２よりも低い位置でほぼ第１および第２の収納凹部２６ａ，２６ｂ間に位置するようにして設けられている。したがって第１および第２の収納凹部２６ａ，２６ｂに収納された物品４０，４１を、効果的に固定し得るように各係止部３１〜３３を配置することができる。
【００３８】
以上、本発明の実施例を説明したが、本発明は上記実施例に限定されるものではなく、特許請求の範囲に記載された本発明を逸脱することなく種々の設計変更を行うことが可能である。
【００３９】
たとえば本発明は、上記実施例のように四輪バギー車のリヤフェンダ２１に設けられた収納ボックス２７に限定して実施されるものではなく、自動二輪車のリヤフェンダや、車体カバー等に設けられる収納ボックスに関連して本発明を実施することも可能である。
【００４０】
また上記実施例では第１〜第３係止部３１〜３３を収納ボックス２７に設けた例について説明したが、４以上の個数の係止部が収納ボックスに設けられていてもよい。
【００４１】
さらにＵ字ロックを収納ボックス２７内に収納、固定することも可能である。
【図面の簡単な説明】
【００４２】
【図１】四輪バギー車の側面図である。
【図２】図１の要部拡大図である。
【図３】リヤフェンダの斜視図である。
【図４】リヤフェンダの一部平面図である。
【図５】第１および第２の物品を収納、固定した状態での収納ボックスを図２の５−５線矢視方向から見た図である。
【図６】図５の６−６線断面図である。
【図７】図６の７矢視図である。
【図８】第１の物品を収納した状態での収納ボックスを図５と同一方向から見た図である。
【図９】図８の９−９線断面図である。
【図１０】第２の物品を収納した状態での収納ボックスを図５と同一方向から見た図である。
【図１１】図１０の１１−１１線断面図である。
【符号の説明】
【００４３】
２６ａ・・・第１の収納凹部
２６ｂ・・・第２の収納凹部
２７・・・収納ボックス
３１・・・第１係止部
３２・・・第２係止部
３３・・・第３係止部
３５・・・固定手段としての固定用バンド
４０，４１・・・物品
【図１】
2005161948.tif 000003
【図２】
2005161948.tif 000004
【図３】
2005161948.tif 000005
【図４】
2005161948.tif 000006
【図５】
2005161948.tif 000007
【図６】
2005161948.tif 000008
【図７】
2005161948.tif 000009
【図８】
2005161948.tif 000010
【図９】
2005161948.tif 000011
【図１０】
2005161948.tif 000012
【図１１】
2005161948.tif 000013
【手続補正書】
【提出日】平成16年11月9日(2004.11.9)
【手続補正１】
【補正対象書類名】明細書
【補正対象項目名】００２７
【補正方法】変更
【補正の内容】
【００２７】
ところで、各係止部３１〜３３には、固定手段である固定用バンド３５の両端を係脱可能に係合し得るものであり、第２係止部３２の上方で後壁２９には、固定用バンド３５のいずれか一端側を第２係止部３２に係脱操作することを可能とするための操作孔３６が設けられ、第３係止部３３に対応する部分で後壁２９には、固定用バンド３５のいずれか一端側を第３係止部３３に係脱操作することを可能とするための操作孔３７が設けられる。
【手続補正２】
【補正対象書類名】明細書
【補正対象項目名】００２８
【補正方法】変更
【補正の内容】
【００２８】
而して固定用バンド３５は、ゴム製のバンド３８の両端に、第１〜第３係止部３１〜３３のいずれにも係合可能なリング状の係合部材３９，３９が取付けられて成るものであり、弾性を有しつつ伸縮可能に構成される。
【手続補正３】
【補正対象書類名】明細書
【補正対象項目名】００３７
【補正方法】変更
【補正の内容】
【００３７】
さらに上方に開放した前記収納ボックス２７に、第１および第２の収納凹部２６ａ，２６ｂが並ぶ方向（この実施例では前後方向）のほぼ両端に位置する第１および第２係止部３１，３２が上下方向の位置を相互に異ならせて設けられるとともに、第１および第２の収納凹部２６ａ，２６ｂが並ぶ方向に沿って前記第１および第２係止部３１，３２間に位置する第３の係止部３３が第１および第２係止部３１，３２よりも低い位置でほぼ第１および第２の収納凹部２６ａ，２６ｂ間に位置するようにして設けられている。したがって第１および第２の収納凹部２６ａ，２６ｂに収納された物品４０，４１を、効果的に固定し得るように各係止部３１〜３３を配置することができる。